(57)【要約】【課題】散歩中などにおける犬の糞を、手軽で簡単、衛生的に回収処分ができて、ランニングコストも含め経済的に使用できるように、消耗品はトイレットペーパーだけとした、実用的な器具を提供する。【解決手段】提供する器具は、トイレットペーパーを装着するのが簡単で、必要なときに素早く使用可能な状態にできるとともに、トイレットペーパー以外には糞が極力接触しないよう衛生的に作業できるようにするための、リンク機構を用いる構造とする。リンク機構の機能は、トイレットペーパーの先端を保持して、開閉面の開閉操作に合わせて動く可動部を、適切な位置に移動させることである。また可動部は、トイレットペーパーを切りやすく押さえる機能をもたせる。以上により課題を解決する。【選択図】  図1
2007282556.tif 000002
【特許請求の範囲】
【請求項１】
開閉面を開く操作をすると、トイレットペーパーの先端を保持した可動部が、アームを介してトイレットペーパーを引き出して、受け皿のように広がる位置に移動することで、その上に糞を直接受け取り、そのまま開閉面を閉じれば回収ができ、更に処分までが簡単にできるように動作するリンク機構をもつ、携帯可能な犬糞回収用器具の基本構造。
【請求項２】
トイレットペーパーの先端を保持して移動するという機能と、引き出されたトイレットペーパーを押さえて、その部分を切りやすくするという機能の、２つの機能を持つ可動部の基本構造。
【発明の詳細な説明】
【技術分野】
【０００１】
この発明は、トイレットペーパーを利用して犬をはじめとした、ペットの糞を容易に回収するための器具に関するものである。
【背景技術】
【０００２】
愛犬家が、散歩などの屋外において、愛犬の糞を回収しなければならないときは、主に紙や袋、専用の器具などを使用して、糞が地面に落ちる前に直接受け取ったり、地面に落ちた糞を拾ったりして回収している。
【０００３】
糞を容易に回収するために、トイレットペーパーを利用すれば、手軽で経済的であることを特長とした器具も既に発案されているが、トイレットペーパーが機能的に利用されている器具は、市場に見当たらない。
【特許文献１】特開２００２−１１２６５８
【特許文献２】特開２００３−１２５６６７
【特許文献３】特開２００４−１９４６４０
【発明の開示】
【発明が解決しようとする課題】
【０００４】
道路や公園など公共の場に放置された犬の糞は、不衛生であり人に不快感を与えるため、愛犬の屋外での排便は飼い主が始末する、ということは既にマナーとして広く認識されており、そのことを呼びかけている自治体も多い。そのため愛犬家の多くは、紙や袋、専用の器具を用いて回収してはいるが、それに煩わしさを感じている愛犬家も多いのではないかと思われる。また回収した後の始末についても同様と思われることから、自治体の呼びかけにもかかわらず、糞が屋外にそのまま放置されてしまうという実態もある。
【０００５】
この発明は、糞を回収する一連の作業が煩わしいこと、及び煩わしいために糞が放置される実態を解決するため、実用的な糞回収器具を提供することを課題の対象としている。
【課題を解決するための手段】
【０００６】
課題を解決するための器具は、糞の回収から処分にわたる一連の作業を、手軽で簡単に、また衛生的に行うことができ、更にランニングコストも含め、経済的であることが条件として必須である。
【０００７】
この器具は、手軽で簡単に作業するために、トイレットペーパーを装着するのが簡単で、必要なときに素早く使用可能な状態にできるとともに、トイレットペーパー以外には糞が極力接触しないよう衛生的に作業できるようにするための、リンク機構を用いる構造とする。
また、糞を処分するのも簡単で、トイレットペーパーも切りやすい機構を取り入れることで、糞を始末する一連の煩わしさを解決する。
【０００８】
更に単純な構造であり動力も必要とせず、消耗品は市販のトイレットペーパーだけなので経済的である、という点でも課題解決の条件を備えている。
【発明の効果】
【０００９】
糞を回収して処分するのに、市販のトイレットペーパーを利用すれば、水洗トイレにそのまま流せることで、水に溶け難いティッシュペーパーに類する紙を使用するよりも便利である。しかし、トイレットペーパーをどのように装着して機能的に使用すれば良いのか、具体的な方法が見出されていないために、トイレットペーパーを利用して糞を回収できる器具が、市場に見当たらないものと思われる。この発明は、トイレットペーパーを機能的に利用できる機構を備えている、という点が背景技術との関連における有利な効果である。
【発明を実施するための最良の形態】
【００１０】
使いたいとき、即座にトイレットペーパーで糞を受けられる状態にするために、リンク機構を用いた構造とする。
【００１１】
トイレットペーパー以外のものには、糞を極力接触させないで、衛生的に作業できる構造とする。
【００１２】
回収後、持ち帰った糞は簡単に処分ができ、トイレットペーパーは、使用済みの捨てたい部分を容易に切り取れる構造とする。
【実施例】
【００１３】
試作した器具をもとに実施例を記述すると、本器具は図１のようにプラスチック製の長方体状の外見である。器具本体（１）と、その上蓋（２）とで構成され、寸法はトイレットペーパー（３）が収容できる程度の大きさとする。本体の取っ手（４）と反対側の面は図2のように本体底面を軸に約９０度外側に開くことができる開閉面（５）をもつ構造とする。
【００１４】
上蓋は本体から取り外せるが、レバー（６）の操作によって開閉面に引っ掛かっている部分を持ち上げることで、上蓋を被せたままでも開閉面の開閉ができるようにする。
開閉面の先端付近には、トイレットペーパーを通すためのアーム（７）を取り付ける。
【００１５】
トイレットペーパーはトイレで通常使用するように、巻き芯（８）を用いて本体にセットするが、通常とは逆に、開閉面の方向に下側から巻きほぐす向きにセットする。開閉面と本体との間には、可動部リンク機構（９）を設け開閉面の開／閉に合わせて、図３、図４、図５のように下／上に動く可動部（１０）を構成させる。この可動部には、図６、図７、図８のように保持用鉄板（１１）と、ラバー磁石（１２）を貼り付けた板（１３）を利用して、それらの間にトイレットペーパーの先端（１４）が保持できる機能をもたせる。尚、ラバー磁石を貼り付けた板には、トイレットペーパーを切るときのために、反対面にもラバー磁石を貼り付ける。
【００１６】
通常は、図3のようにアームにトイレットペーパーの先端を通してから可動部に保持させ、上蓋を被せて携行する。使用するときは、開閉面を開いて可動部を下に下ろすことで、トイレットペーパーが引き出されながら、図５のように開閉面の上に受け皿状に広がるので、そこに直接糞を受け取る。受け取った後は、開閉面を閉じると可動部が元の位置に戻るが、引き出されたトイレットペーパーは巻き戻されることがないため、引き出された分だけ長さに余裕が生じて、図９のように糞がトイレットペーパーに包み込まれる形で回収される。
【００１７】
回収した糞を処分するときは、再び開閉面を開いて可動部を下に下ろし、そのまま水洗トイレなどに捨てる。また開閉面を開くと、同時に本体底面に紙切用の鉄板（１５）も立ち上がる。使用済みのトイレットペーパーの捨てたい部分を処分するときは、図８のように可動部の保持を開けば、反対面の磁石と立ち上がっている紙切用の鉄板とで、引き出されたトイレットペーパーを押さえられるので、そのまま切り取って捨てる。
【００１８】
以上、実際に試作した器具をもとに実施例を説明した。そのため、試作が可能だった範囲で、基本構造のみの記述としたが原理的には、更にアーム用にアーム部リンク機構（１６）を追加して、アームを動かすことも可能である。そうすれば、図１０のように紙を通すアーム部分を可動部の下側に配置することができて、最初にトイレットペーパーの先端を保持するのが容易になる。更に開閉面を開くと、図１２のように開閉面先端よりも前方にアームが突き出て、糞を受け取るための面積がより広く確保できる。また保持部分にはラバー磁石を使用して、鉄製の保持板、紙切り板を押さえるようにしたが、磁石の代わりにスナップアクションで押さえるようにすれば、鉄材を一切使わずに全体をオールプラスチックの単一材料で製作することも可能である。
【図面の簡単な説明】
【００１９】
【図１】トイレットペーパーを通紙せずに開閉面を閉じた状態の本体と上蓋の外観図
【図２】同状態で開閉面を開いている本体と上蓋の外観図
【図３】開閉面を閉じた状態の側面図
【図４】開閉面を４５度開放した状態の側面図
【図５】開閉面を８０度開放した状態の側面図
【図６】開閉面を８０度開放した状態の可動部の拡大図
【図７】同状態で保持を開いた可動部の拡大図（リンク機構一部省略）
【図８】同状態で紙切り用鉄板にペーパーを押さえた可動部の拡大図（同省略）
【図９】糞を回収した状態の側面図
【図１０】アーム部分のリンク機構を追加して開閉面を閉じた状態の側面図
【図１１】アーム部分のリンク機構を追加して開閉面を４５度開放した状態の側面図
【図１２】アーム部分のリンク機構を追加して開閉面を８０度開放した状態の側面図
【符号の説明】
【００２０】
１  器具本体
２  上蓋
３  トイレットペーパー
４  取っ手
５  開閉面
６  レバー
７  アーム
８  巻き芯
９  可動部リンク機構
１０  可動部
１１  保持用鉄板
１２  ラバー磁石
１３  板
１４  トイレットペーパーの先端
１５  紙切り用鉄板
１６  アーム部リンク機構
【図１】
2007282556.tif 000003
【図２】
2007282556.tif 000004
【図３】
2007282556.tif 000005
【図４】
2007282556.tif 000006
【図５】
2007282556.tif 000007
【図６】
2007282556.tif 000008
【図７】
2007282556.tif 000009
【図８】
2007282556.tif 000010
【図９】
2007282556.tif 000011
【図１０】
2007282556.tif 000012
【図１１】
2007282556.tif 000013
【図１２】
2007282556.tif 000014